(57)【特許請求の範囲】
【請求項１】
扉開閉端の縦枠に設けられ閉扉にて錠ケースから錠ボルトを突出させるプッシュプル電気錠であって、
扉面に垂直な軸回りで回動自在となって前記錠ケースに内設される駆動カムと、
開扉方向と同方向の押し引き操作力を扉面に垂直な軸回りの回転操作力として該駆動カムに入力する変換機構と、
扉面に垂直な軸回りで揺動自在に支持され錠ボルト突出状態で揺動先端を前記駆動カムの外周に形成された凹部に半径方向外側から挿入して前記駆動カムを回転規制するロックピースと、
前記駆動カムの回転で前記縦枠の長手方向にスライドされ斜め穴に係合させた前記錠ボルトを後退方向に従動させるスライドカム板と、
前記錠ケースに設けられ該スライドカム板の上端移動位置で該スライドカム板に係止して該スライドカム板を前記上端移動位置に保持するラッチ体と、
閉扉にて被施錠体から磁気反発力を受けて作動し該ラッチ体の前記スライドカム板に対する保持を解除するリリーサと、
電気信号の印加にてソレノイドを励磁し前記錠ボルトの進退方向にプランジャを直動させる電磁プランジャと、
前記プランジャに連結され前記直動方向にスライドされる駆動コネクタと、
扉面に垂直な軸回りで揺動自在に支持され先端係合部が前記ロックピースの揺動基端に連結されるとともに基端連結部が該駆動コネクタに連結される切替カムと、
を具備したことを特徴とするプッシュプル電気錠。
【請求項２】
前記錠ケースの錠ボルト進退方向の奥行き長と、前記錠ボルトの進退方向の全長とが略同等に形成され、
前記錠ボルトの後端部を厚み方向に二分する前記扉面に平行なスリット内に、前記スライドカム板が配置されたことを特徴とする請求項１記載のプッシュプル電気錠。
【請求項３】
前記駆動コネクタに、前記縦枠の長手方向に長い垂直スライド穴が形成され、
前記切替カムの基端連結部に、該垂直スライド穴と重なり中央部を該切替カムの回動中心に近接するく字形ガイド穴が形成され、
前記垂直スライド穴及び該く字形ガイド穴にスライドピンがスライド自在に貫通され、
該スライドピンを保持したスライド片が、フロント裏板にスライド自在に表出されたことを特徴とする請求項１又は２記載のプッシュプル電気錠。
【請求項４】
前記スライド片が、前記裏板に取り付けられるフロント板にて覆われることを特徴とする請求項３記載のプッシュプル電気錠。
【請求項５】
前記垂直スライド穴に、前記プランジャの直動変位量に相当する拡幅部が形成されたことを特徴とする請求項３又は４記載のプッシュプル電気錠。
【請求項６】
前記スライドカム板を挟み、前記駆動カム、前記ロックピース、前記切替カム、及び前記スライド片が一対配設され、これら部品が前記扉の表裏側でそれぞれに作動することを特徴とする請求項３，４，５のいずれか１つに記載のプッシュプル電気錠。
【請求項７】
前記スライドカム板の前記斜め穴の上端に垂直穴が延設され、該垂直穴が前記錠ボルトの後退を阻止することを特徴とする請求項１，２，３，４，５，６のいずれか１つに記載のプッシュプル電気錠。
【請求項８】
前記錠ボルトが順次後退位置となるように前記スライドカム板を保持するラチェット爪が前記リリーサに連結されたことを特徴とする請求項１，２，３，４，５，６，７のいずれか１つに記載のプッシュプル電気錠。
【発明の詳細な説明】
【技術分野】
【０００１】
本発明は、開扉方向と同方向の押し引き操作で閉扉解除がなされるプッシュプル電気錠に関し、特に、錠ボルト進退方向の必要スペースを小さくし、且つ電気制御による遠隔操作にて施錠又は解錠を可能とする改良技術に関する。
【背景技術】
【０００２】
錠装置には、ロックをせずに閉扉状態を保持する掛け金（ラッチボルト）を備えたものがある。ラッチボルトは、先端に傾斜面を有して扉木口から突出する方向に付勢され、扉の閉動により、開口枠側に設けられたストライク板の縁部に傾斜面を衝接し、一旦扉内へ後退した後、ストライク板のトロヨケ内に突出することで、扉を閉めた状態に保持する。ラッチボルトは、一般に、一体となって錠ケースに設けられる進退機構により、扉表裏に設けられる操作部材（レバーハンドル、ノブ等）の操作で後退され、トロヨケ内から脱することで閉扉状態を解除する。
【０００３】
ところで、住宅やオフィスビル等の玄関扉には、長尺の操作バーの端を、台座を介して扉面に可動自在に取り付ける所謂プッシュプル錠が採用されることがある。プッシュプル錠は、例えば外開き扉に取り付けられる場合、室内側の操作バーは押し方向に可動することで、また、屋外側に取り付けられる操作バーは引き方向に可動することで、錠ボルトを錠ケース内へ後退させ、扉を開放可能とする。これにより、扉表裏において、開扉方向とバー操作方向を一致させ、扉の良好な操作性を実現する。
【０００４】
また、近年、ガラス素材の強度向上によってガラス扉が多用されるようになってきている。この種のガラス扉に施錠装置を設ける場合、ガラスに金属枠部を付設し、扉開閉端の縦枠に錠装置を設けるのが一般的である。このようなガラス扉の縦枠に収容される錠装置に、上記ラッチボルトを設けた場合、両開き扉では、相手部材（相手側ガラス扉）の縦枠に設けられるストライク板に傾斜面を衝接させることとなる。また、片開きでは、相手部材（開口枠）に設けられたストライク板に傾斜面を衝接させることとなった。
【発明の開示】
【発明が解決しようとする課題】
【０００５】
しかしながら、特にガラス扉に設けられる錠装置の場合、衝接時の反力を発生させないため、傾斜面を衝接させないラッチボルト機構とすることが望ましい。また、プッシュプル錠の操作バーを縦枠に取り付けたガラス扉では、意匠性を低下させないため、錠装置を収容する縦枠をできるだけ幅の狭いスリムなものとすることが望ましい。さらに、省スペース化を達成するためには、掛け金としてのラッチボルトと、施錠用のデッドボルトを単一の錠ボルトのみを用いて機能させることがより好ましい。このような事情からガラス扉に設けられるプッシュプル錠は、相手部材との衝接による反力を利用せず、デッドボルト機能を有し、しかも、錠ケースのラッチボルト進退方向の奥行き長を最小限にする必要があった。
また、上記プッシュプル錠では、利便性向上や、セキュリティシステム導入に伴い、電気制御による遠隔操作にて施錠又は解錠が可能となる電気錠化の市場要請がある。その場合、不要な動きを封じ、機構保護及び明解な操作を可能とすることが望ましい。さらに、電気錠とした場合には、単一製品で、種々の電気制御バリエーションに対応できることが、製造コスト低減の点でより好ましい。
【０００６】
本発明は上記状況に鑑みてなされたもので、その第１の目的は、扉の縦枠など狭い幅のスペースに取り付けできるとともに、電気制御による遠隔操作にて施錠又は解錠が可能とでき、その場合に、不要な動きを封じ、機構保護及び明解な操作が可能となるプッシュプル電気錠を提供することにある。また、その第２の目的は、状況に応じ電気制御バリエーションを設定できる汎用性の高いプッシュプル電気錠を提供することにある。
【課題を解決するための手段】
【０００７】
次に、上記の課題を解決するための手段を、実施の形態に対応する図面を参照して説明する。
本発明の請求項１記載のプッシュプル電気錠は、扉開閉端の縦枠１７に設けられ閉扉にて錠ケース１９から錠ボルト２５を突出させるプッシュプル電気錠１００であって、
扉面１１ａに垂直な軸回りで回動自在となって前記錠ケース１９に内設される駆動カム５５と、
開扉方向ａと同方向の押し引き操作力を扉面１１ａに垂直な軸回りの回転操作力として該駆動カム５５に入力する変換機構６５と、
扉面１１ａに垂直な軸回りで揺動自在に支持され錠ボルト突出状態で揺動先端６３ａを前記駆動カム５５の外周に形成された凹部５５ａに半径方向外側から挿入して前記駆動カム５５を回転規制するロックピース６３と、
前記駆動カム５５の回転で前記縦枠１７の長手方向にスライドされ斜め穴７３に係合させた前記錠ボルト２５を後退方向に従動させるスライドカム板３１と、
前記錠ケース１９に設けられ該スライドカム板３１の上端移動位置で該スライドカム板３１に係止して該スライドカム板３１を前記上端移動位置に保持するラッチ体７９と、
閉扉にて被施錠体から磁気反発力を受けて作動し該ラッチ体７９の前記スライドカム板３１に対する保持を解除するリリーサ９５と、
電気信号の印加にてソレノイド１４３を励磁し前記錠ボルト２５の進退方向ｂにプランジャ１４５を直動させる電磁プランジャ１４４と、
前記プランジャ１４５に連結され前記直動方向にスライドされる駆動コネクタ１４７と、
扉面１１ａに垂直な軸回りで揺動自在に支持され先端係合部１５９ａが前記ロックピース６３の揺動基端６３ｂに連結されるとともに基端連結部１５９ｂが該駆動コネクタ１４７に連結される切替カム１５９と、
を具備したことを特徴とする。
【０００８】
このプッシュプル電気錠では、縦枠１７から横方向に後退する錠ボルト１５を、駆動カム５５の回転で縦枠１７に沿う縦方向に移動するスライドカム板３１にて駆動するので、縦枠内の縦長のスペースを有効利用した部品の配置が可能となり、その結果、横幅に必要なスペースを抑制できる。また、閉扉にてリリーサ９５を作動させ、錠の厚み方向に作動するラッチ体７９による保持を解除して錠ボルト２５を突出できる。これに加え、ソレノイド１４３に電気信号を印加することで、プランジャ１４５を介し駆動コネクタ１４７を直動し、連結される切替カム１５９を揺動することで、ロックピース６３を遠隔操作してロックピース６３の揺動先端６３ａを駆動カム５５の凹部５５ａに挿入し、錠ボルト突出状態の駆動カム５５を回転規制できる。駆動カム５５は、正逆双方の回転が規制され、スライドカム板３１を押し上げる解錠操作は元より、逆方向へ回転されることによる隣接機構部品との接触も確実に防止できる。また、このことから駆動カム５５に連結される変換機構６５の動作もロックでき、例えば操作バーを作動不能とする固定もできる。これにより、操作者に対し、ロック状態の操作バーにて、施錠を明確に知らせることができる。
【０００９】
請求項２記載のプッシュプル電気錠は、前記錠ケース１９の錠ボルト進退方向の奥行き長Ｄと、前記錠ボルト２５の進退方向の全長Ｌとが略同等に形成され、
前記錠ボルト２５の後端部を厚み方向に二分する前記扉面１１ａに平行なスリット２９内に、前記スライドカム板３１が配置されたことを特徴とする。
【００１０】
このプッシュプル電気錠では、錠ボルト２５と係合するスライドカム板３１が、錠ボルト２５の後端部に形成されたスリット２９内に配置され、スリット２９が錠ボルト後退方向に突出しなくなる。また、錠ボルト２５とスライドカム板３１が厚み方向の中心位置で係合され、錠ボルト２５やスライドカム板３１に、錠ボルト進退方向の軸回りのモーメントが発生しない。
【００１１】
請求項３記載のプッシュプル電気錠は、前記駆動コネクタ１４７に、前記縦枠１７の長手方向に長い垂直スライド穴１６７が形成され、
前記切替カム１５９の基端連結部１５９ｂに、該垂直スライド穴１６７と重なり中央部を該切替カム１５９の回動中心に近接するく字形ガイド穴１６９が形成され、
前記垂直スライド穴１６７及び該く字形ガイド穴１６９にスライドピン１７１がスライド自在に貫通され、
該スライドピン１７１を保持したスライド片１７７が、フロント裏板３９にスライド自在に表出されたことを特徴とする。
【００１２】
このプッシュプル電気錠では、スライド片１７７をスライドすることにより、駆動コネクタ１４７に対する切替カム１５９の位置を変位させ、プランジャ１４５の直動をロックピース６３のロック又は非ロックに切り替えることができる。
【００１３】
請求項４記載のプッシュプル電気錠は、前記スライド片１７７が、前記裏板３９に取り付けられるフロント板４１にて覆われることを特徴とする。
【００１４】
このプッシュプル電気錠では、通常の扉の開閉では、フロント板４１に覆われてスライド片１７７が露出しなくなる。
【００１５】
請求項５記載のプッシュプル電気錠は、前記垂直スライド穴１６７に、前記プランジャ１４５の直動変位量に相当する拡幅部１８５が形成されたことを特徴とする。
【００１６】
このプッシュプル電気錠では、スライドピン１７１が拡幅部１８５に配置されることで、プランジャ１４５の直動によって駆動コネクタ１４７が移動しても、駆動コネクタ１４７の移動がスライドピン１７１へ伝達されず、電磁プランジャ１４４の動作、非動作に関わらず、常に駆動カム５５を、ロックピース６３の係止しない非ロック状態とできる。
【００１７】
請求項６記載のプッシュプル電気錠は、前記スライドカム板３１を挟み、前記駆動カム５５、前記ロックピース６３、前記切替カム１５９、及び前記スライド片１７７が一対配設され、これら部品が前記扉１１の表裏側でそれぞれに作動することを特徴とする。
【００１８】
このプッシュプル電気錠では、扉表裏側で駆動カム５５（すなわち、操作バー２１，２３）が独立操作可能となる。また、一方の駆動カム５５の回転が他方の駆動カム５５に伝わらなくなる。そして、スライド片１７７のスライド位置を変えることで、プランジャ１４５の直動をロックピース６３のロック又は非ロックに切り替えることができる。さらに、扉表裏側で各スライド片１７７のスライド位置を変えることで、電気信号による動作、すなわち、ロック又は非ロックを別設定できる。
【００１９】
請求項７記載のプッシュプル電気錠は、前記スライドカム板３１の前記斜め穴７３の上端に垂直穴７７が延設され、該垂直穴７７が前記錠ボルト２５の後退を阻止することを特徴とする。
【００２０】
このプッシュプル電気錠では、錠ボルト２５の突出動作に伴い、スライドカム板３１のスライドにより斜め穴７３の上端に錠ボルト２５の係合部（係合ピン３７等）が達すると、突出した錠ボルト２５の後退が垂直穴７７に当たる係合部にて阻止される。
【００２１】
請求項８記載のプッシュプル電気錠は、前記錠ボルト２５が順次後退位置となるように前記スライドカム板３１を保持するラチェット爪１０５が前記リリーサ９５に連結されたことを特徴とする。
【００２２】
このプッシュプル電気錠では、スライドカム板３１が上端移動位置でラッチ体７９にて保持されるまでの上昇スライド過程において、スライドカム板３１がラチェット爪１０５にて順次位置保持される。なお、リリーサ９５に磁気反発力を作用させる被施錠体側の磁気発生手段には電磁石が用いられる。この電磁石は、開扉時、磁気を発生させる電気信号が印加されている。閉扉と同時にこの電磁石による磁気反発力でリリーサ９５が揺動され、ラッチ体７９による保持が解除され、スライドカム板３１がスライドすることにより、錠ボルト２５が突出される。その後、閉扉状態が閉扉検出手段にて検出され、電磁石への磁気発生電気信号は遮断される。つまり、リリーサ９５は、磁気反発力が作用しなくなることで揺動前の姿勢となる。これにより、閉扉時、ラッチ体７９によるスライドカム板３１の保持、及びラチェット爪１０５によるスライドカム板３１の噛合保持が可能となる。
【発明の効果】
【００２３】
本発明に係る請求項１記載のプッシュプル電気錠によれば、縦枠から横方向に後退する錠ボルトを、縦枠の長手方向にスライドするスライドカム板にて作動させ、閉扉で被施錠体から磁気反発力を受けるリリーサにてラッチ体によるスライドカム板の保持、すなわち、錠ボルトの後退保持を解除するので、扉の縦枠など狭い幅のスペースに取り付けることができるとともに、閉扉時と同時に錠ボルトを突出させる自動閉扉保持を実現できる。これに加え、電気信号の印加される電磁プランジャと、プランジャに直動される駆動コネクタと、揺動先端を駆動カムの凹部に挿入して駆動カムを回転規制するロックピースと、先端係合部がロックピースの揺動基端に連結されるとともに基端連結部が駆動コネクタに連結される切替カムとを備えたので、ロックピースを電気制御し、遠隔操作によりロックピースを駆動カムにロック・非ロックとする施錠又は解錠を行うことができ、その場合、不要な動きを封じ、すなわち操作バーの操作を伝達せず、機構保護及び明解な操作、すなわち操作バーが動かないことで施錠状態であることを認識させ、また操作バーが動くことで解錠が行われ開扉操作へと移る、ということが実現できる。
【００２４】
請求項２記載のプッシュプル電気錠によれば、錠ケースの錠ボルト進退方向の奥行き長と、錠ボルトの進退方向の全長とを略同等に形成し、錠ボルトの後端部を厚み方向に二分するスリット内にスライドカム板を配置したので、スライドカム板が錠ボルト後退方向に突出せず、錠ケースの錠ボルト進退方向の奥行き長を、錠ボルトの全長と同一となる最小長にできる。また、錠ボルトとスライドカム板を厚み方向の中心位置で係合できるので、錠ボルトやスライドカム板に、錠ボルト進退方向の軸回りモーメントが発生せず、錠ボルト及びスライドカム板をスムースに作動させることができる。
【００２５】
請求項３記載のプッシュプル電気錠によれば、駆動コネクタに垂直スライド穴を形成し、切替カムの基端連結部にく字形ガイド穴を形成し、垂直スライド穴及びく字形ガイド穴にスライドピンをスライド自在に貫通し、スライドピンを保持したスライド片を、フロント裏板にスライド自在に表出させたので、スライド片をスライドすることにより、駆動コネクタに対する切替カムの位置を変位させ、単一プランジャの直動をロックピースのロック又は非ロックに切り替えることができる。つまり、スライド片を設け、状況に応じ電気制御バリエーションを設定できるようにした。この結果、単一種類のプッシュプル電気錠を、用途に応じ異なる電気制御内容に設定でき、汎用性を高めることができる。
【００２６】
請求項４記載のプッシュプル電気錠によれば、スライド片を、裏板に取り付けられるフロント板にて覆うので、通常の扉の開閉では、フロント板に覆われてスライド片が露出せず、スライド片が悪戯されることによる誤動作を防止できる。
【００２７】
請求項５記載のプッシュプル電気錠によれば、垂直スライド穴に、プランジャの直動変位量に相当する拡幅部を形成したので、拡幅部にスライドピンを配置することで、電磁プランジャの動作、非動作に関わらず、常に駆動カムを非ロック状態とできる。この結果、災害などの緊急・非常時に、開扉不能となることによる混乱（パニック）を防止する、混乱防止モード（アンチパニックモード）を設定できる。
【００２８】
請求項６記載のプッシュプル電気錠によれば、スライドカム板を挟み、駆動カム、ロックピース、切替カム、及びスライド片が一対配設され、これら部品が扉の表裏側でそれぞれに作動するので、扉表裏側で駆動カムを独立操作してスライドカム板等の兼用部品を作動させることができるとともに、遠隔操作による施錠・解錠を扉表裏で独立して行うことができる。また、一方の駆動カムの回転が他方の駆動カムに伝わらず、非操作側操作バーの不要な動きを排除できる。
【００２９】
請求項７記載のプッシュプル電気錠によれば、スライドカム板の斜め穴の上端に垂直穴が延設されたので、突出動作に伴い、スライドカム板のスライドにより斜め穴の上端に錠ボルトの係合部が達すると、突出した錠ボルトの後退が垂直穴に当たる係合部にて阻止される。これにより、簡素な構造で錠ボルトを高強度に後退規制できる。
【００３０】
請求項８記載のプッシュプル電気錠によれば、錠ボルトが順次後退位置となるようにスライドカム板を保持するラチェット爪を、リリーサに連結したので、スライドカム板が上端移動位置でラッチ体にて保持されるまでの上昇過程において、スライドカム板を順次位置保持することができる。これにより、錠ボルト後退時に、ラチェット爪が順次噛合することによるクリック感を生じさせ、操作感を良好にできる。
【発明を実施するための最良の形態】
【００３１】
以下、本発明に係るプッシュプル電気錠の好適な実施の形態を図面を参照して詳細に説明する。
図１は本発明に係るプッシュプル電気錠を備えたガラス扉の斜視図である。
プッシュプル電気錠１００の設けられる扉１１は、矢印ａ方向へ開扉可能に不図示のヒンジにて支持される。本実施の形態の扉１１は、ガラス１３の外周に枠体１５を付設したガラス扉として構成される。プッシュプル電気錠１００は、枠体１５の開閉端側の縦枠１７に取り付けられる。
【００３２】
一方の扉面１１ａ側に開扉される扉１１の厚み方向中央部には錠ケース１９が内設される。表面１１ａには、この表面１１ａに垂直な離反方向Ｌに移動操作される第１の操作バー（屋外操作バー）２１が設けられる。また、他方の扉面（裏面１１ｂ）には、この裏面１１ｂに垂直な接近方向Ｎに移動操作される第２の操作バー（室内操作バー）２３が設けられる。プッシュプル電気錠１００は、開扉方向ａと同方向に操作される屋外操作バー２１、室内操作バー２３の操作力を、錠ボルト２５を後退作動させる回転駆動力に変換して錠ケース１９に入力する。
【００３３】
ガラス扉に設けられるプッシュプル電気錠１００は、衝接時の反力を発生させないため、衝接傾斜面を有しないラッチボルト機構であることが望ましい。本実施の形態によるプッシュプル電気錠１００は、錠ボルト２５が、相手部材との衝接による反力を利用しない角ボルトとして形成されている。つまり、錠ボルト２５は、閉扉状態でのみ突出し、開扉状態では一般的なラッチボルトと異なり後退保持（収納）されるようになっている。これにより、プッシュプル電気錠１００は、掛け金としてのラッチボルトと、施錠用のデッドボルトを単一の錠ボルト２５のみにて機能させている。
【００３４】
また、ガラス扉の意匠性を低下させないためには、プッシュプル電気錠１００の設けられる縦枠１７はできるだけ幅Ｗの狭いスリムなものとすることが望ましい。すなわち、プッシュプル電気錠１００は、錠ボルト２５の進退方向の奥行き長を最小にできる機構であることが望ましい。
【００３５】
図２は図１に示したプッシュプル電気錠の錠ケース内の側面図、図３は図２の上部拡大斜視図、図４は錠ボルト近傍部材の分解斜視図である。
錠ボルト２５は、縦枠１７の扉開閉端面１１ｃ（図１参照）から進退するよう横方向に往復動自在に錠ケース１９に内設される。錠ボルト２５の先端面には、安全上、厚み方向両側の角部を除去した図４に示す傾斜部２７，２７が形成されている。錠ボルト２５の後端部には、厚み方向に二分する扉表面１１ａに平行なスリット２９が形成され、スリット２９は後述のスライドカム板３１及び係合手段３３を配置する。錠ボルト２５には両側面に貫通する軸穴３５が穿設され、軸穴３５は係合手段３３である係合軸３７を嵌入する。
【００３６】
錠ケース１９は、フロント裏板３９が扉木口に不図示のケース固定ビスにて固定される。フロント裏板３９の表面には化粧板（フロント板）４１が取り付けられる。フロント裏板３９には、錠ボルト２５、後述のリリーサ４３と一致する開口穴４５，４７が形成される。フロント裏板３９には錠ボルト２５のみの開口穴が形成される。つまり、リリーサ４３用の開口穴４７はフロント板４１によって覆われるようになっている。
【００３７】
縦枠１７に収容される錠ケース１９は、開放側面に、不図示のケース蓋がビスにて固定される。錠ケース１９の錠ボルト進退方向の奥行き長Ｄ（図７参照）と、錠ボルト２５の進退方向の全長Ｌとは略同等に形成されている。
【００３８】
錠ボルト２５両側と錠ケース１９の両内壁の間には樹脂材料からなる一対の板状ボルトガイド４９（図２参照）が配設される。ボルトガイド４９には横方向に延在するガイド穴５１が穿設され、ガイド穴５１は錠ボルト２５の両側部に突出する突起５３、係合軸３７を介して錠ボルト２５をガイドする。ボルトガイド４９にはガイド穴５１を挟み錠ボルト進退方向に離間した一対のガイドピンローラ５２，５２が上側に一対、下側に一対配設され、ガイドピンローラ５２は錠ボルト２５の側面を自転しながらガイドする。錠ケース１９の内壁にはガイド柱５０が立設され、ガイド柱５０は外挿されたローラ５０ａにて錠ボルト２５の上面をガイドする。また、このガイド柱５０には直径に平行な上下方向の溝（不図示）が形成され、この溝によってスライドカム板３１の前縁がガイドされるようになっている。ガイド柱５０は、錠ボルト２５の上縁と、スライドカム板３１の前縁が交差する位置に配設され、省スペースで複数機能が得られるようになされている。
【００３９】
図５は図２の下部拡大斜視図である。
錠ケース１９には駆動カム５５が内設され、駆動カム５５は扉面に垂直な軸回りで回動自在となる。駆動カム５５は、後述する変換機構からの出力軸が嵌合される角孔５７を有する。駆動カム５５は、屋外操作バー２１、室内操作バー２３の押し引き操作によって、変換機構を介して回転される。駆動カム５５には押圧板部５９が設けられ、押圧板部５９は駆動カム５５の一方向（図７の時計回り方向）の回転によってスライドカム板３１を押し上げる。
【００４０】
表裏の押圧板部５９，５９同士は、先端に間隙を有し、この間隙にはスライドカム板３１を下方へ引っ張る引っ張りバネ６１が配置されている。引っ張りバネ６１が押圧板部５９の間隙に配置（図５参照）されることで、スライドカム板３１を下側へ強制復帰させるときに必須となる引っ張りバネ６１を、押圧板部５９の回動スペースに重ねて配設でき、錠ケース１９の奥行き長Ｄを増大させないように、また厚み方向をも増大させないようになっている。また、駆動カム５５には復帰バネ６２が張架され、復帰バネ６２は駆動カム５５を図５の反時計回りに付勢する。駆動カム５５は、錠ボルト２５の突出状態で、後述のロックピース６３によって回転が規制される。
【００４１】
屋外操作バー２１、室内操作バー２３による開扉方向ａと同方向の押し引き操作力は、変換機構６５（図１参照）にて扉面に垂直な軸回りの回転操作力として駆動カム５５に入力される。変換機構６５は、屋外操作バー２１用と、室内操作バー２３用のそれぞれに対応して設けられる。屋外操作バー２１用の変換機構６５は離反方向Ｌの操作力を回転に変換する。室内操作バー２３用の変換機構６５は接近方向Ｎの操作力を回転に変換する。本明細書では変換機構６５の詳細な構成説明は省略する。
【００４２】
図６はロック状態を（ａ）、非ロック状態を（ｂ）に表したロックピース近傍部材の側面図である。
ロックピース６３は、扉面に垂直な軸回りで揺動自在に支持され、錠ボルト突出状態で揺動先端６３ａを駆動カム５５の外周凹部５５ａに係止して、駆動カム５５の図６に示す時計回りの回転を規制する。ロックピース６３は、ネジ（不図示）にて支持軸６８から抜け止めされる。また、ロックピース６３は、支持軸６９に外挿されたロックピース付勢バネ７１にて、外周凹部５５ａにロック方向（図６の反時計回り方向）で付勢される。なお、このロックピース６３は、後述するように、電磁プランジャにてロック・非ロックが制御される。
【００４３】
図７は駆動カム回転時の側面図である。
スライドカム板３１は、扉表面１１ａと平行な板材からなり、縦枠１７の長手方向に沿って往復動自在に錠ケース１９に内設される。スライドカム板３１には上下に延在する一対の平行なガイド穴６４ａ，６４ｂが穿設され、ガイド穴６４ａ，６４ｂは錠ケース１９の内壁に立設されたスタッド６６ａ，６６ｂに係合される。スライドカム板３１は、駆動カム５５の時計回りの回転で、縦枠１７の上方向にスライドされ、斜め穴７３に、係合手段３３を介して係合させた錠ボルト２５を後退方向（図７の右方向）に従動させる。
【００４４】
駆動カム５５に設けられる押圧板部５９は、スライドプッシャー７５を介して、スライドカム板３１の下端を上方へ押し上げる。スライドカム板３１が押し上げられれば、係合手段３３を介して斜め穴７３に係合する錠ボルト２５は後退される。スライドカム板３１は、錠ケース１９の内壁に立設される規制軸７０にて上端移動位置より上方の移動が規制される。
【００４５】
錠ボルト２５と係合するスライドカム板３１は、錠ボルト２５の後端部に形成されたスリット２９内に配置され、スライドカム板３１が錠ボルト後退方向に突出しなくなる。これにより、錠ケース１９の奥行き長Ｄを、錠ボルト２５の進退方向の全長Ｌと同一となる最小長としている。また、錠ボルト２５とスライドカム板３１が厚み方向の中心位置で係合され、錠ボルト２５やスライドカム板３１に、錠ボルト進退方向の軸回りのモーメントが発生しない。これにより、錠ボルト２５及びスライドカム板３１をスムースに作動できる。
【００４６】
スライドカム板３１の斜め穴７３の上端には図４に示す垂直穴７７が延設され、垂直穴７７は図２に示す突出状態の錠ボルト２５の後退を阻止する。すなわち、錠ボルト２５の突出動作に伴い、スライドカム板３１のスライドにより斜め穴７３の上端に錠ボルト２５の係合手段３３が達すると、突出した錠ボルト２５が係合手段３３を介して垂直穴７７に当たり後退が阻止される。これにより、簡素な構造で錠ボルト２５を高強度に後退規制できるようになっている。
【００４７】
図８は錠ボルト収納完了状態の側面図、図９はリリーサ作動時の側面図、図１０はラッチ体によるスライドカム板の保持・保持解除状況を（ａ）〜（ｄ）で表した動作説明図である。
錠ケース１９の上部にはラッチ体７９が配設される。ラッチ体７９は、スライドカム板３１の図８に示す上端移動位置で、スライドカム板３１の係止穴８１に係止してスライドカム板３１を保持する。
【００４８】
ラッチ体７９は、錠ケース１９に、図９に示すボルトガイド４９を介して設けられる。ラッチ体７９には受け座８３が突出され、受け座８３は上方に配置されるラッチロック板８５の回転規制面８７に当接する。ボルトガイド４９の上部にはラッチ体７９を収容するラッチ体収容穴８９が形成され、ラッチ体収容穴８９は前後壁に、ラッチ体７９の両端から突出する軸７９ａ（図４参照）を支持する受け穴（不図示）が形成されている。錠ケース１９とラッチ体７９の間にはコイルバネ９１が配設され、コイルバネ９１は円形板９３を介してラッチ体７９を突出方向（図１０の右方向）に付勢する。ラッチ体７９は、軸７９ａが支持されラッチ体収容穴８９に配置されることで、軸７９ａ回りに回動し、且つ扉表面１１ａに垂直方向で可動するようになっている。
【００４９】
ラッチロック板８５は、後述のリリーサ９５との連結を行う回動ピン９７の挿通される穴９９を有する。ラッチロック板８５の上面にはつる巻バネ１０１の受け部１０３が形成される。つる巻バネ１０１は、リリーサ９５の支持軸１１０に外挿され、ラッチロック板８５を図８の右方向に付勢する。これにより、リリーサ９５は同図の反時計回りに付勢される。右方向に配置されたラッチロック板８５は、図１０（ａ）に示すように、回転規制面８７で受け部１０３を上から押さえる。この押下によりラッチ体７９は、軸７９ａを中心とした回転が規制され、同図左右方向の進退のみが可能となる。また、図９に示すように、リリーサ９５が時計回りに回転し、ラッチロック板８５が同図の左方へ移動されると、図１０（ｄ）に示すように、回転規制面８７による受け部１０３の上からの押さえを解除する。これにより、ラッチ体７９は、引っ張りバネ６１で下側に付勢されるスライドカム板３１にて、左方へ移動しながら軸７９ａ回りに回転される。
【００５０】
また、ラッチロック板８５とリリーサ９５の間には、回動ピン９７の貫通するラチェット爪１０５が挟持される。ラチェット爪１０５とフロント裏板３９の間にはバネ１０７が設けられ、バネ１０７はラチェット爪１０５を図８の右方へ付勢する。スライドカム板３１の上部前縁にはラチェット爪１０５に対向するラック１０９が形成される。
【００５１】
ラチェット爪１０５は、バネ１０７に付勢され、錠ボルト２５が順次後退位置となるように、スライドカム板３１を保持する。したがって、スライドカム板３１が上端移動位置でラッチ体７９にて保持されるまでの上昇過程において、スライドカム板３１を順次位置保持することができる。これにより、錠ボルト後退時に、ラチェット爪１０５が順次噛合することによるクリック感を生じさせ、良好な操作感が得られるようになっている。
【００５２】
リリーサ９５は、中央部に、支持軸１１０の貫通する支持穴１１１が穿設される。リリーサ９５の下部にはラッチロック板８５との連結を行う回動ピン９７の挿通される連結穴１１３が形成される。リリーサ９５の上部にはマグネット１１５が付設され、マグネット１１５はフロント裏板３９のマグネット表出開口穴４７に一致する。リリーサ９５は、相手部材（相手側ガラス扉又は開口枠等）に設けられた電磁石からの斥力を受けることで、図９に示すように、時計回りに回転し、ストッパピン１１６にて回転規制される。回転したリリーサ９５は、ラッチロック板８５を同図の左方向へ移動し、その結果、図１０（ｄ）に示すようにラッチ体７９の回転規制を解除するようになっている。つまり、閉扉にて被施錠体から磁気反発力を受けて作動し、ラッチ体７９のスライドカム板３１に対する保持を解除する。
【００５３】
なお、相手部材に設けられる電磁石は、開扉時、磁気を発生させる電気信号が印加されている。閉扉と同時にこの電磁石による磁気反発力でリリーサ９５が揺動され、ラッチ体７９による保持が解除され、スライドカム板３１がスライドすることにより、錠ボルト２５が突出される。その後、閉扉状態が閉扉検出手段にて検出され、電磁石への磁気発生電気信号は遮断される。つまり、リリーサ９５は、磁気反発力が作用しなくなることで揺動前の姿勢となる。これにより、閉扉時、ラッチ体７９によるスライドカム板３１の保持、及びラチェット爪１０５によるスライドカム板３１の噛合保持が再び可能となる。
【００５４】
プッシュプル電気錠１００は、少なくとも錠ボルト２５、スライドカム板３１などの摺動部品と、少なくともロックピース６３、ラチェット爪１０５などの揺動部品が、錠ケース１９との隙間に配設される樹脂製スペーサ部材１８４（図６（ａ）参照）に摺接して位置保持及び動作案内される。このように、摺動部品、揺動部品が、樹脂製スペーサ部材１８４に摺接して位置保持及び動作案内されるので、摺動部品や揺動部品の摺動音、衝撃音を吸収して静粛性を高めることができる。また、金属同士の摩耗を低減させて耐久性を向上させることができる。
【００５５】
また、プッシュプル電気錠１００は、スライドカム板３１を挟み、駆動カム５５、ロックピース６３が一対配設され、これら部品が扉１１の表裏側でそれぞれに作動する。すなわち、扉表裏側で駆動カム５５（すなわち、操作バー２１，２３）が独立操作可能となる。また、一方の駆動カム５５の回転が他方の駆動カム５５に伝わらなくなっている。これにより、扉表裏側で駆動カム５５を独立操作して、スライドカム板３１等の兼用部品を作動させることができる。また、一方の駆動カム５５の回転が他方の駆動カム５５に伝わらず、非操作側操作バーの不要な動きを防止している。
【００５６】
次に、上記構成を有するプッシュプル電気錠１００のラッチ動作を説明する。
プッシュプル電気錠１００は、錠ボルト２５が突出した状態（図２の状態）で、屋外操作バー２１又は室内操作バー２３が操作され、変換機構６５を介して駆動カム５５が回転されると、図７に示すように、押圧板部５９にてスライドカム板３１が押し上げられる。
【００５７】
スライドカム板３１が上方へ移動すると、ラチェット爪１０５がラック１０９に順次噛合し、錠ボルト２５が後退位置に順次保持される。スライドカム板３１の上縁がラッチ体７９に達すると、図１０（ｂ）に示すように、ラッチ体７９がコイルバネ９１の付勢力に抗して図１０の左側へ押し込まれる。さらにスライドカム板３１が移動され、ラッチ体７９に係止穴８１が一致すると、コイルバネ９１の付勢力によりラッチ体７９が突出し、図１０（ｃ）に示すように、係止穴８１に係止して、スライドカム板３１を上端移動位置で保持する。
【００５８】
ガラス扉１１は、この状態、すなわち、図８に示す錠ボルト２５が後退した状態で開扉される。この状態では、屋外操作バー２１、室内操作バー２３が操作されても、駆動カム５５が回動するのみで、上端移動位置に配置されたスライドカム板３１に押圧板部５９が干渉することがない。
【００５９】
これに対し、錠ボルト２５を掛け金（ラッチボルト）として動作させるには、相手部材の、リリーサ９５のマグネット１１５と対向する電磁石に、斥力を生じさせる電気信号を印加しておく。これにより、ガラス扉１１が閉止されると、リリーサ９５のマグネット１１５が図９に示すように離反動し、その結果、ラッチロック板８５を同図の左方へ移動させる。
【００６０】
ラッチロック板８５が移動されると、図１０（ｄ）に示すように、回転規制面８７による受け座８３への押圧が解除され、ラッチ体７９が軸７９ａを中心に回転可能となる。これにより、引っ張りバネ６１の付勢力により下側へ引かれるスライドカム板３１にてラッチ体７９が図１０の時計回りに回転され、係止が解除されてスライドカム板３１が下降する。
【００６１】
スライドカム板３１が下降することにより、係合手段３３を介して錠ボルト２５が再び突出し、相手部材と係合することとなる。ガラス扉１１は、この閉扉状態において、屋外操作バー２１，室内操作バー２３が操作されれば、再び駆動カム５５、押圧板部５９を介してスライドカム板３１が押し上げられ、錠ボルト２５が後退することにより開扉が可能となる。
【００６２】
このように、プッシュプル電気錠１００では、駆動カム５５の回動を錠ボルト２５の後退・進出動に変換するためのスライドカム板３１が、錠ボルト２５の進退方向と直交方向に移動自在に配置される。これにより、錠ケース１９の錠ボルト後退方向に機構部品を配置したり、作動スペースを確保する必要がなくなる。
【００６３】
したがって、上記構成によれば、縦枠１７に沿って往復動自在に錠ケース１９に内設されるスライドカム板３１と、扉開閉端面１１ｃから進退するよう錠ケース１９に内設される錠ボルト２５と、駆動カム５５に形成されスライドカム板３１を押し上げる押圧板部５９と、スライドカム板３１の上下動を錠ボルト２５の後退・進出動に変換する係合手段３３と、スライドカム板３１の上端移動位置でスライドカム板３１を保持するラッチ体７９とを設けたので、駆動カム５５の回転を錠ボルト２５の後退・進出動に変換するためのスライドカム板３１を、錠ボルト２５の進退方向と直交方向に移動自在に配置でき、錠ケース１９の錠ボルト後退方向に変換部材を配置したり、作動スペースを確保する必要がなくなる。
【００６４】
つまり、錠ケース１９の錠ボルト進退方向の奥行き長Ｄを最小にできる。この結果、相手部材との衝接による反力を利用せず、幅寸法の小さい縦枠１７にもプッシュプル電気錠１００が収容でき、特にガラス扉１１では金属枠部分を小さくして、意匠性を向上させることができる。
【００６５】
ところで、プッシュプル電気錠１００は、利便性向上や、セキュリティシステム導入に伴い、電気制御による遠隔操作にて施錠又は解錠が可能であると良い。その場合、不要な動きを封じ、機構保護及び明解な操作を可能とすることが望ましい。また、プッシュプル電気錠１００は、このような電気錠とした場合、単一製品で、種々の電気制御バリエーションに対応できることが、製造コスト低減の点でより好ましい。このような要請からプッシュプル電気錠１００は、さらに、以下の構成を有している。
【００６６】
図１１は駆動カム及び電気錠部の分解斜視図、図１２は扉表面側のスライド片がＴモード（ａ）、Ｒモード（ｂ）、Ａモード（ｃ）に配置されたフロント裏板部の斜視図である。なお、スライド片がＴモードに配置された電気錠部は図５，図６を参照して説明する。
図５に示すように、ロックピース６３より下方の錠ケース１９内には電磁プランジャ１４４のソレノイド１４３が固設され、ソレノイド１４３は外部からの電気信号の印加にて励磁されて錠ボルト２５の進退方向にプランジャ１４５を直動させる。プランジャ１４５には駆動コネクタ１４７が連結され、駆動コネクタ１４７はプランジャ１４５の直動方向（図６の矢印ｂ方向）にスライドされる。なお、これら電磁プランジャ１４４、駆動コネクタ１４７は扉表裏で兼用の単一部品である。
【００６７】
図１１に示すように、駆動コネクタ１４７には連結凹部１４９が形成され、連結凹部１４９はプランジャ１４５の先端段部１４５ａと係合される。駆動コネクタ１４７は、連結凹部１４９の形成される連結ブロック部１４７ａが、錠ケース１９の可動空間１５５（図５，図６参照）に移動自在に配置される。ソレノイド１４３と連結ブロック部１４７ａの間には復帰用圧縮バネ１５１が挟入され、復帰用圧縮バネ１５１は連結ブロック部１４７ａを図６の左方向へ付勢している。なお、プランジャ１４５は、ソレノイド１４３の通電時、復帰用圧縮バネ１５１の付勢力に抗して同図の右方向へ移動される。これにより、可動空間１５５と連結ブロック部１４７ａには図６（ｂ）に示す間隙Ｓが形成される。
【００６８】
錠ケース１９の下部には、駆動カム５５と同方向の回動中心である支持軸１５７（図５参照）にて図１１に示す切替カム１５９が揺動自在に支持されている。この切替カム１５９は駆動コネクタ１４７を挟んで扉表裏で一対設けられる。切替カム１５９の先端係合部１５９ａには連結爪１６１が形成され、連結爪１６１はロックピース６３の連結ピン６３ｂを挟持する。これにより、切替カム１５９は、ロックピース６３の揺動基端（連結ピン６３ｂ）に連結されている。
【００６９】
図１１に示すように、駆動コネクタ１４７には縦枠１７の長手方向に長い垂直スライド穴１６７が形成されている。切替カム１５９の基端連結部１５９ｂには、垂直スライド穴１６７と重なり中央部を支持軸１５７に近接するく字形ガイド穴１６９が形成されている。垂直スライド穴１６７及びく字形ガイド穴１６９にはスライドピン１７１がスライド自在に貫通されている。これにより、切替カム１５９の基端連結部１５９ｂは、スライドピン１７１を介して駆動コネクタ１４７に連結される。
【００７０】
スライドピン１７１は、加締めピン１７３にて小片１７５に固定される。この小片１７５は、スライド片１７７の凹所１７９に、横方向に移動自在に収容される。小片１７５は、つる巻バネ１８０にて図１２の左方向へ付勢されガタツキが防止される。小片１７５を介してスライドピン１７１を保持したスライド片１７７は、図１２に示すフロント裏板３９のスライド溝２０３に調整突起２０５がスライド自在に表出される。なお、スライド片１７７は、フロント裏板３９に形成されるガイド溝３９ａ（図５参照）にてスライドがガイドされる。スライド片１７７及び小片１７５は駆動コネクタ１４７を挟み扉表裏で一対設けられる。
【００７１】
電磁プランジャ１４４、駆動コネクタ１４７、切替カム１５９、スライドピン１７１、スライド片１７７を主要な部材として電気錠部１７９が構成されている。電気錠部１７９は、後にも述べるように、ソレノイド１４３に電気信号を印加することで、プランジャ１４５を介し単一の駆動コネクタ１４７を直動し、連結される一対の切替カム１５９，１５９を揺動することで、表裏のロックピース６３を遠隔操作可能とする。
【００７２】
また、表裏それぞれのスライド片１７７をスライドすることにより、駆動コネクタ１４７に対する切替カム１５９の位置を、図６に示す通電時解錠モード（Ｔモード）、図１４に示す通電時施錠モード（Ｒモード）、図１６に示すアンチパニックモード（Ａモード）の位置に変位させ、プランジャ１４５の直動を、ロックピース６３のロック又は非ロックに切り替えることができるようになっている。
【００７３】
図６（ａ）、図１４（ａ）、図１６（ａ）は何れも非通電状態を示す。すなわち、非通電時では、Ｔモードは施錠、Ｒモードは解錠、Ａモードは解錠状態となる。図６中、１８１はスライド片１７７に突設された位置決め突起、１８３Ｔ，１８３Ｒ，１８３Ａは樹脂製スペーサ部材１８４に形成された位置決め凹部を示す。スライド片１７７は、位置決め突起１８１を上段、中段、下段の位置決め凹部１８３Ｔ，１８３Ｒ，１８３Ａに弾性的に接触することで図１２に示した各モード位置に保持される。
【００７４】
垂直スライド穴１６７の幅と、く字形ガイド穴１６９の幅は、スライドピン１７１の外径と略一致している。く字形ガイド穴１６９は、くの字形状に屈曲している。したがって、垂直スライド穴１６７に沿ってスライドピン１７１が上下方向に移動されれば、く字形ガイド穴１６９の屈曲している分、駆動コネクタ１４７に対して切替カム１５９が揺動変位することとなる。つまり、両者の相対角度が変わる。この変位によりロックピース６３の連結ピン６３ｂに対する連結爪１６１の位置を替え、ロックピース６３の施錠配置（例えば図６（ａ）参照）、解錠配置（例えば図１４（ａ）参照）を可変設定可能としている。
【００７５】
錠ケース１９は、フロント裏板３９がフロント板４１にて覆われる。したがって、フロント裏板３９に表出するスライド片１７７は、フロント板４１にて覆われ、隠されるようになっている。これにより、通常の扉１１の開閉では、フロント板４１に覆われてスライド片１７７が露出せず、スライド片１７７が悪戯されることによる誤動作を防止できる。また、メンテナンス時の切替作業を可能としている。
【００７６】
また、駆動コネクタ１４７の垂直スライド穴１６７には、プランジャ１４５の直動変位量に相当する図１１に示す拡幅部１８５が形成されている。スライドピン１７１がこの拡幅部１８５に配置されることで、プランジャ１４５の直動によって駆動コネクタ１４７が移動しても、駆動コネクタ１４７の移動がスライドピン１７１へ伝達されず、電磁プランジャ１４４の動作、非動作に関わらず、常に駆動カム５５が非ロック状態となるアンチパニックモード（Ａモード）にできる。この結果、災害などの緊急・非常時に、開扉不能となることによる混乱（パニック）を防止できるようになされている。
【００７７】
次に、Ｔモード、Ｒモード、Ａモードにおけるプッシュプル電気錠１００の各動作を説明する。図１３はスライド片がＲモードに配置された電気錠部のプランジャ非動作時を（ａ）、プランジャ動作時を（ｂ）に表した拡大側面図、図１４はスライド片がＲモードに配置されたプランジャ非動作時を（ａ）、プランジャ動作時を（ｂ）に表した拡大側面図、図１５はスライド片がＲモードに配置されたプランジャ非動作時及び駆動カム回転時を（ａ）、プランジャ動作時及び入力カム回転時を（ｂ）に表した拡大側面図、図１６はスライド片がＡモードに配置されたプランジャ非動作時を（ａ）、プランジャ動作時を（ｂ）に表した拡大側面図である。なお、スライドカム板３１、ラッチ体７９、ラチェット爪１０５、リリーサ９５等の動作については上記と同様であるので省略する。
まず、通電時にロックピース６３が解錠されるＴモードでは、図１３（ａ）に示すように、閉扉状態の非通電時、プランジャ１４５が突出状態となり、駆動コネクタ１４７が左方に配置される。切替カム１５９がスライドピン１７１にて反時計回りに回転配置されていることで、連結爪１６１にて連結ピン６３ｂが引っ張られ、その結果、ロックピース６３が反時計回りに付勢されて駆動カム５５に係止している。つまり、施錠状態となる。
【００７８】
一方、図１３（ｂ）に示すように、電気信号が電磁プランジャ１４４に印加されると、プランジャ１４５が右方へ引かれ、駆動コネクタ１４７が同方向へ移動される。駆動コネクタ１４７が右方向へ移動されると、支持軸１５７より上側に位置しているスライドピン１７１が右側へ移動され、連結爪１６１が連結ピン６３ｂを右方向へ押す。これにより、ロックピース６３が時計回りに回転し、駆動カム５５に対するロックが解除される。
【００７９】
この状態で駆動カム５５が回転されれば、図１３（ｂ）に示すように、スライドカム板３１が押し上げられ、錠ボルト２５が後退し、ラッチ体７９により後退保持され、開扉が自在となる。
【００８０】
また、通電時にロックピース６３がロックするＲモードでは、図１４（ｂ）、図１５（ｂ）に示すように、閉扉状態の通電時、プランジャ１４５が右方向へ引っ張られ、切替カム１５９がスライドピン１７１にて反時計回りに回転配置される。連結爪１６１にて連結ピン６３ｂが引っ張られ、その結果、ロックピース６３が駆動カム５５に係止している。つまり、施錠状態となる。
【００８１】
一方、閉扉状態の非通電であれば、図１４（ａ）に示すように、プランジャ１４５が突出位置となり、駆動コネクタ１４７が同方向へ移動配置される。駆動コネクタ１４７が左方向へ移動されていると、支持軸１５７より下側に位置しているスライドピン１７１が左側へ移動され、連結爪１６１が連結ピン６３ｂを右方向へ押す。これにより、ロックピース６３が時計回りに回転し、駆動カム５５に対するロックが解除される。
【００８２】
この状態で駆動カム５５が回転されれば、図１５（ａ）に示すように、スライドカム板３１が押し上げられ、錠ボルト２５が後退し、ラッチ体７９により後退保持される。
【００８３】
図１６に示すように、スライド片１７７が最下段のＡモード位置に配置されると、スライドピン１７１が垂直スライド穴１６７及びく字形ガイド穴１６９の下端に配置される。電磁プランジャ１４４の非通電時には、図１６（ａ）に示すように、切替カム１５９が時計回りの位置に回転配置されたままとなり、連結爪１６１が連結ピン６３ｂを右方へ押し、ロックピース６３が時計回りに付勢されて駆動カム５５に非ロック状態となる。
【００８４】
また、図１６（ｂ）に示すように、電磁プランジャ１４４に電気信号が印加され、駆動コネクタ１４７が右方へ移動しても、スライドピン１７１が垂直スライド穴１６７の拡幅部１８５（図１２参照）へ入るため、スライドピン１７１はそのままの位置に留まり、切替カム１５９を反時計回りに回転しない。つまり、通電・非通電に関わらず、駆動カム５５は、ロック解除状態となる。但し、例えば図１２（ｃ）に示すように、扉１１の表面１１ａに配置されるスライド片１７７がＡモードであり、裏面１１ｂに配置されるスライド片１７７がＡモード以外（図例ではＴモード）であれば、裏面側のモードは表面１１ａとは独立して有効となる。
【００８５】
図１７は閉扉時における各モードの非通電時と通電時のロック状態を表した相関図である。
このように、プッシュプル電気錠１００は、Ｔモードの設定では、非通電時、ロック状態となり、通電時にはロック解除状態となる。
Ｒモードの設定では、非通電時、ロック解除状態となり、通電時にはロック状態となる。
Ａモードの設定では、非通電時及び通電時に関わらず、常にロック解除状態となる。
【００８６】
プッシュプル電気錠１００は、電気錠部１７９を備えることで、遠隔操作が可能となり、外部からの施錠、或いは外部からの解錠（解錠のために鍵を不要とする例えば合カギを持たない訪問者の許可など）を可能にできる。また、錠を有効（閉扉時に施錠）としつつも、駆動カム５５（屋外操作バー２１、室内操作バー２３）の開扉操作によって、解錠が行え、これにより、緊急時・非常時にパニックにならず、非難通路の確保など、錠の状態に関わらず、通過を可能とすることができる。
【００８７】
これに加え、ソレノイド１４３に電気信号を印加することで、プランジャ１４５を介し駆動コネクタ１４７を直動し、連結される切替カム１５９を揺動することで、ロックピース６３を遠隔操作してロックピース６３の揺動先端６３ａを駆動カム５５の凹部５５ａに挿入し、錠ボルト突出状態の駆動カム５５を回転規制できる。駆動カム５５は、正逆双方の回転が規制され、スライドカム板３１を押し上げる解錠操作は元より、逆方向へ回転されることによる隣接機構部品との接触も確実に防止できる。また、このことから駆動カム５５に連結される変換機構６５の動作もロックでき、例えば操作バーを作動不能とする固定もできる。これにより、操作者に対し、ロック状態の操作バーにて、施錠を明確に知らせることができる。
【００８８】
したがって、本実施の形態によるプッシュプル電気錠１００によれば、上述した基本機構による効果に加え、電気信号の印加される電磁プランジャ１４４と、プランジャ１４５に直動される駆動コネクタ１４７と、揺動先端６３ａを駆動カム５５の凹部５５ａに挿入して駆動カム５５を回転規制するロックピース６３と、先端係合部１５９ａがロックピース６３の揺動基端（連結ピン６３ｂ）に連結されるとともに基端連結部１５９ｂが駆動コネクタ１４７に連結される切替カム１５９とを備えたので、ロックピース６３を電気制御し、遠隔操作によりロックピース６３を駆動カム５５にロック・非ロックとする施錠又は解錠を行うことができ、その場合、不要な動きを封じ、機構保護及び明解な操作を実現できる。この結果、利便性を向上でき、セキュリティシステム等への対応を容易にすることができる。
【００８９】
また、駆動コネクタ１４７に垂直スライド穴１６７を形成し、切替カム１５９の基端連結部１５９ｂにく字形ガイド穴１６９を形成し、垂直スライド穴１６７及びく字形ガイド穴１６９にスライドピン１７１をスライド自在に貫通し、スライドピン１７１を固設したスライド片１７７を、錠ケース１９のフロント裏板３９にスライド自在に表出させたので、スライド片１７７をスライドすることにより、駆動コネクタ１４７に対する切替カム１５９の位置を変位させ、単一プランジャ１４５の直動をロックピース６３のロック又は非ロックに切り替えることができる。つまり、スライド片１７７を設け、状況に応じ電気制御バリエーションを設定できるようにした。この結果、単一種類のプッシュプル電気錠１００を、用途に応じ異なる電気制御内容に設定でき、汎用性を高めることができる。
【００９０】
さらに、プッシュプル電気錠１００によれば、単一の駆動コネクタ１４７を挟み扉表裏に一対の切替カム１５９及びスライド片１７７を配設したので、扉表裏の各スライド片１７７のスライド位置を変えることで、駆動コネクタ１４７の単一の垂直スライド穴１６７に対し、それぞれの切替カム１５９のく字形ガイド穴１６９を変位させ、この変位の違いにより、扉表裏でロックピース６３の施錠配置、解錠配置を可変設定可能とすることができる。この結果、用途に応じ電気制御バリエーションを種々に設定することができる。
【００９１】
なお、上記プッシュプル電気錠１００は、上述したように駆動カム５５をロックピース６３にて回転不能に係止（ロック）し、錠ボルト２５の後退を阻止する施錠状態とできるが、ロックピース６３と重複してシリンダ錠やサムターンの施解錠手段を設けてもよい。シリンダ錠付きプッシュプル電気錠は、合鍵によるシリンダ錠の施解錠回転にて、ロックピース６３をロック・非ロック動作させる不図示のリンク機構等を設けることができる。これにより、マニュアルによる施解錠が可能となる。この場合、増設する例えばシリンダ錠は、錠ケース１９の上部に配置することで、縦枠１７の長手方向に分散配置できる。つまり、錠ケース１９の奥行きを幅Ｄを増加させずに済む。
【図面の簡単な説明】
【００９２】
【図１】本発明に係るプッシュプル電気錠を備えたガラス扉の斜視図である。
【図２】図１に示したプッシュプル電気錠の錠ケース内の側面図である。
【図３】図２の上部拡大斜視図である。
【図４】錠ボルト近傍部材の分解斜視図である。
【図５】図２の下部拡大斜視図である。
【図６】ロック状態を（ａ）、非ロック状態を（ｂ）に表したロックピース近傍部材の側面図である。
【図７】駆動カム回転時の側面図である。
【図８】錠ボルト後退途中の側面図である。
【図９】リリーサ作動時の側面図である。
【図１０】ラッチ体によるスライドカム板の保持・保持解除状況を（ａ）〜（ｄ）で表した動作説明図である。
【図１１】駆動カム及び電気錠部の分解斜視図である。
【図１２】扉表面側のスライド片がＴモード（ａ）、Ｒモード（ｂ）、Ａモード（ｃ）に配置されたフロント裏板部の斜視図である。
【図１３】スライド片がＴモードに配置された電気錠部のプランジャ非動作時を（ａ）、プランジャ動作時を（ｂ）に表した拡大側面図である。
【図１４】スライド片がＲモードに配置されたプランジャ非動作時を（ａ）、プランジャ動作時を（ｂ）に表した拡大側面図である。
【図１５】スライド片がＲモードに配置されたプランジャ非動作時及び駆動カム回転時を（ａ）、プランジャ動作時及び入力カム回転時を（ｂ）に表した拡大側面図である。
【図１６】スライド片がＡモードに配置されたプランジャ非動作時を（ａ）、プランジャ動作時を（ｂ）に表した拡大側面図である。
【図１７】閉扉時における各モードの非通電時と通電時のロック状態を表した相関図である。
【符号の説明】
【００９３】
１１…扉
１１ａ，１１ｂ…扉面
１１ｃ…扉開閉端
１７…縦枠
１９…錠ケース
２５…錠ボルト
２９…スリット
３１…スライドカム板
３９…フロント裏板
４１…フロント板
５５…駆動カム
５５ａ…凹部
６３…ロックピース
６３ａ…揺動先端
６３ｂ…連結ピン（ロックピースの揺動基端）
６５…変換機構
７３…斜め穴
７７…垂直穴
７９…ラッチ体
９５…リリーサ
１００…プッシュプル電気錠
１０５…ラチェット爪
１４３…ソレノイド
１４４…電磁プランジャ
１４５…プランジャ
１４７…駆動コネクタ
１５９…切替カム
１５９ａ…先端係合部
１５９ｂ…切替カムの基端連結部
１６７…垂直スライド穴
１６９…く字形ガイド穴
１７１…スライドピン
１７７…スライド片
１８５…拡幅部
ａ…開扉方向
Ｄ…錠ケースの錠ボルト進退方向の奥行き長
Ｌ…錠ボルトの進退方向の全長
【図１】
0005330732.tif 000002
【図２】
0005330732.tif 000003
【図３】
0005330732.tif 000004
【図４】
0005330732.tif 000005
【図５】
0005330732.tif 000006
【図６】
0005330732.tif 000007
【図７】
0005330732.tif 000008
【図８】
0005330732.tif 000009
【図９】
0005330732.tif 000010
【図１０】
0005330732.tif 000011
【図１１】
0005330732.tif 000012
【図１２】
0005330732.tif 000013
【図１３】
0005330732.tif 000014
【図１４】
0005330732.tif 000015
【図１５】
0005330732.tif 000016
【図１６】
0005330732.tif 000017
【図１７】
0005330732.tif 000018